(57)【要約】【課題】タッチパネルに表示される画像をユーザ操作により容易に変更することができる携帯用電子機器及び表示制御方法を提供すること【解決手段】本発明にかかる携帯用電子機器１０は、タッチパネル２０と、タッチパネル２０に表示する画像データを生成し、画像データをタッチパネル２０に表示させる表示制御部４０と、タッチパネル２０の外側周縁部に形成され、ユーザによるタッチ操作を受け付け、タッチパネル２０の表示をスクロールするスクロールバーとして機能する周辺操作部３０と、を備え、表示制御部４０は、ユーザが周辺操作部３０にタッチしスクロール操作することにより、タッチパネル２０に表示される画面がスクロールされるように、タッチパネル２０へ表示する画像を生成するものである。【選択図】図１
2011164953.tif 000002
【特許請求の範囲】
【請求項１】
タッチパネルと、
前記タッチパネルに表示する画像データを生成し、前記画像データを前記タッチパネルに表示させる表示制御部と、
前記タッチパネルの外側周縁部に形成され、ユーザによるタッチ操作を受け付け、前記タッチパネルの表示をスクロールするスクロールバーとして機能する周辺操作部と、を備え、
前記表示制御部は、
前記ユーザが前記周辺操作部にタッチしスクロール操作することにより、前記タッチパネルに表示される画面がスクロールされるように、前記タッチパネルへ表示する画像を生成する携帯用電子機器。
【請求項２】
前記タッチパネルは、
前記ユーザが前記タッチパネルの表面を指で押下することにより、ボタン操作の触感を得られるように、前記タッチパネルの表面に凹凸が形成される、請求項１記載の携帯用電子機器。
【請求項３】
前記表示制御部は、
前記ユーザが、前記タッチパネルの表面を指で押下することにより情報を入力するボタン操作部と、前記タッチパネルの表面を指でなぞるように移動することにより、カーソルを移動させるカーソル操作部とを含む画像データを生成する、請求項１又は２記載の携帯用電子機器。
【請求項４】
前記表示制御部は、
前記ボタン操作部と前記カーソル操作部とを、起動するアプリケーションに応じて定められた位置に配置する画像データを生成する請求項３に記載の携帯用電子機器。
【請求項５】
前記タッチパネルは、押圧される押圧力に応じて、前記ボタン操作部による操作と、前記カーソル操作部による操作とが切り替わる請求項３又は４記載の携帯用電子機器。
【請求項６】
前記タッチパネルを用いて入力された情報を外部装置へ送信する通信部をさらに備え、
前記入力された情報を外部装置に表示させる請求項１乃至５のいずれか１項に記載の携帯用電子機器。
【請求項７】
タッチパネルの外側周縁部に形成され、ユーザによるタッチ操作を受け付け前記タッチパネルの表示をスクロールするスクロールバーとして機能する周辺操作部を用いて、前記タッチパネルに表示される画面を制御する表示画面制御方法であって、
前記ユーザが前記周辺操作部にタッチしスクロール操作することにより、前記タッチパネルに表示される画面がスクロールされるように、前記タッチパネルへ表示する画像データを生成するステップと、
前記生成された画像データを前記タッチパネルに表示するステップと、を備える表示制御方法。
【発明の詳細な説明】
【技術分野】
【０００１】
本発明は携帯用電子機器及び表示制御方法に関し、特にタッチパネルを用いる携帯用電子機器及び表示制御方法に関する。
【背景技術】
【０００２】
携帯電話機、ＰＨＳ（Personal Handyphone System）、ＰＤＡ（Personal Data Assistance，Personal Digital Assistants）等の多くの携帯端末装置は、ボタンを押下するボタン操作を用いて情報の入力を行う。ところが、携帯端末装置は、近年機能の多様化が進み、ＧＵＩ（Graphical User Interface）を用いて操作するソフトウェアアプリケーションが多く開発されている。そのため、ボタン操作のみを用いてこのようなソフトウェアアプリケーションを機能させることは非常に困難である。このような状況に鑑み、ボタン操作部を備えるとともにＧＵＩに用いられるカーソル操作部両方を搭載した携帯端末装置が開発されている。カーソル操作とは、表示画面に示されるカーソル、つまりポインティングデバイスを動作させる操作である。しかし、ボタン操作部とカーソル操作部とを両方搭載した携帯端末装置は、ボタン操作部とカーソル操作部とが、それぞれ異なる入力デバイスにより実現されており、ユーザの操作性が非常に悪いという問題がある。また、ボタンを表示したタッチパネルを利用した入力インタフェースでは、物理的に凹凸のあるボタンを押すような感覚を得ることができない。そのため、このような入力インタフェースが、タッチパネルに表示されているボタンを、複数回押下することにより入力される情報を識別するようなアプリケーションに用いられると、ユーザの操作性が非常に悪く感じられる。
【０００３】
このような問題を解決するために、特許文献１には、タッチパネルを押下することにより、タッチパネルが筺体に沈むように動作する電子機器が開示されている。これにより、タッチパネルにおいてカーソル操作を行うとともに、ボタン操作を行った場合に、ボタンを押下する感覚を得ることができる。
【０００４】
しかし、特許文献１にかかるタッチパネルは、ボタンを押下する感覚を得られるが、一つ一つのボタンの形状を認識することができない。そのため、タッチパネルの画面を見ることなくユーザの指先の感覚のみで一つ一つのボタンの形状を認識することができない。そこで、このような問題を解決するために、以下に記載する技術が開示されている。
【０００５】
特許文献２には、タッチパネル上に物理的に凹凸を形成することにより、タッチパネルを用いるユーザが凹凸の触感を得られるリモコン送信器が開示されている。これにより、ユーザは、一つ一つのボタンの形状を指先の触感により認識することができる。さらに、特許文献２には、テレビ、ＤＶＤ又はＨＤＤ等の操作対象が変更することにより、リモコン送信器のタッチパネルに表示する操作画像を変化させることが開示されている。
【０００６】
タッチパネルの表示を変化させる技術に関連して、特許文献３には、筺体上をスライドするシャトルキーパッドを備える電子デバイスが開示されている。筺体上のシャトルキーパッドが停止する位置に応じて、液晶表示画面に表示される画像を変化させることができる。
【先行技術文献】
【特許文献】
【０００７】
【特許文献１】特開２００９−２１７８１４号公報
【特許文献２】特開２００５−１３６５１８号公報
【特許文献３】特開２００８−５０７０１１号公報
【発明の概要】
【発明が解決しようとする課題】
【０００８】
しかし、特許文献２及び３にかかるタッチパネルを用いて、携帯端末装置を構成した場合、次のような問題がある。特許文献２にかかるタッチパネルは、テレビ、ＤＶＤ又はＨＤＤ等の操作対象毎に異なる操作画面が用いられるが、決定された操作画面の構成を変化させることができない。また、特許文献３にかかるタッチパネルは、シャトルキーパッドを動作させることにより、液晶表示画面に表示される画像が変化するが、シャトルキーパッドの位置毎に表示される画面の構成を変化させることができない。これより、操作画面に関する画面データの生成を行う場合に、タッチパネルの液晶画面のサイズに収まるように画面データを生成する必要がある。これにより、機能が多様化するソフトウェアアプリケーションの開発にあたり、配置するボタンの数等が制限されるという問題が生じる。
【０００９】
本発明は、このような問題を解決するためになされたものであり、タッチパネルに表示される画像をユーザ操作により容易に変更することができる携帯用電子機器及び表示制御方法を提供することを目的とする。
【課題を解決するための手段】
【００１０】
本発明の第１の態様にかかる携帯用電子機器は、タッチパネルと、前記タッチパネルに表示する画像データを生成し、前記画像データを前記タッチパネルに表示させる表示制御部と、前記タッチパネルの外側周縁部に形成され、ユーザによるタッチ操作を受け付け、前記タッチパネルの表示をスクロールするスクロールバーとして機能する周辺操作部と、を備え、前記表示制御部は、前記ユーザが前記周辺操作部にタッチしスクロール操作することにより、前記タッチパネルに表示される画面がスクロールされるように、前記タッチパネルへ表示する画像を生成するものである。
【００１１】
本発明の第２の態様にかかる表示制御方法は、タッチパネルの外側周縁部に形成され、ユーザによるタッチ操作を受け付け前記タッチパネルの表示をスクロールするスクロールバーとして機能する周辺操作部を用いて、前記タッチパネルに表示される画面を制御する表示画面制御方法であって、前記ユーザが前記周辺操作部にタッチしスクロール操作することにより、前記タッチパネルに表示される画面がスクロールされるように、前記タッチパネルへ表示する画像データを生成するステップと、前記生成された画像データを前記タッチパネルに表示するステップと、を備えるものである。
【発明の効果】
【００１２】
本発明により、タッチパネルに表示される画像をユーザ操作により容易に変更することができる携帯用電子機器及び表示制御方法を提供することができる。
【図面の簡単な説明】
【００１３】
【図１】実施の形態１にかかる携帯用電子機器の構成図である。
【図２】実施の形態１にかかるタッチパネルの表示図である。
【図３】実施の形態１にかかるカーソル操作の説明図である。
【図４】実施の形態１にかかるボタン操作の説明図である。
【図５】実施の形態１にかかるタッチパネルの構成図である。
【図６】実施の形態１にかかる携帯用電子機器の構成図である。
【図７】実施の形態１にかかる画像データの説明図である。
【図８】実施の形態１にかかるタッチパネルの表示図である。
【図９】実施の形態１にかかるタッチパネルの表示図である。
【図１０】実施の形態１にかかるタッチパネルの表示図である。
【図１１】実施の形態１にかかる情報入力に関するフローチャートである。
【図１２】実施の形態２にかかるタッチパネルの表示図である。
【図１３】実施の形態２にかかる携帯用電子機器の構成図である。
【発明を実施するための形態】
【００１４】
（実施の形態１）
以下、図面を参照して本発明の実施の形態について説明する。図１を用いて本発明の実施の形態１にかかる携帯用電子機器の構成例について説明する。携帯用電子機器１０は、タッチパネル２０と、周辺操作部３０と、表示制御部４０とを備えている。
【００１５】
タッチパネル２０は、液晶画面により構成されている。また、タッチパネル２０は、ユーザが触れることにより情報を入力することができるタッチセンサを備えている。タッチパネル２０は、液晶画面にユーザの情報入力操作を促す画面を表示する。例えば、タッチパネル２０は、一般的な携帯電話に備えられている数字入力キーを液晶表示画面に表示する。ユーザが、液晶表示画面に表示されている数字入力キーに触れることによりタッチセンサが作用し、数字情報が入力される。
【００１６】
周辺操作部３０は、タッチパネル２０の外側周縁部に形成され、ユーザのタッチ操作により情報の入力を受け付け、タッチパネル２０の表示をスクロールするスクロールバーとして機能する。周辺操作部３０は、タッチパネル２０と同様にタッチセンサを備えている。周辺操作部３０は、タッチパネル２０に表示される画像をユーザの意図する方向に動作させる。例えば、ユーザが周辺操作部３０の表面に触れたまま、その接触面を上方向に移動させると、タッチパネル２０の画像も上方向に移動する。このようにして、ユーザが、周辺操作部３０をタッチしスクロール操作することにより、タッチパネル２０に表示されている画像がスクロールされる。
【００１７】
表示制御部４０は、タッチパネル２０の画面に表示する画像データを生成し、生成した画像データをタッチパネル２０の画面に表示させる。また、表示制御部４０は、周辺操作部３０が検知したユーザの操作情報を取得する。表示制御部４０は、取得した操作情報に応じて、タッチパネル２０に表示する画像データを生成し、タッチパネル２０に表示させる。つまり、ユーザがタッチパネル２０の画像を上方向にスクロールさせるように周辺操作部３０を操作した場合に、表示制御部４０は、タッチパネル２０に表示されている画像を上方向にスクロールさせる画像情報を生成する。
【００１８】
以上説明したように、本発明の実施の形態１にかかる携帯用電子機器のように、周辺操作部３０を操作することにより、タッチパネル２０に表示されている画像をスクロールさせ、ユーザの意図した画像を表示させることができる。
【００１９】
続いて、図２を用いて本発明の実施の形態１にかかる周辺操作部の配置例及びタッチパネルの表示例について説明する。周辺操作部３０は、タッチパネル２０の周囲に配置される。周辺操作部３０は、ユーザにより触れられる全ての部分にタッチセンサを設けている。また、図２においては、タッチパネル２０の周辺全てに周辺操作部３０が設けられている例について説明しているが、タッチパネル２０の右側面及び上面のみに周辺操作部３０が設けられてもよい。つまり、周辺操作部３０が、タッチパネル２０の上面及び下面の少なくともどちらか一方と、右側面及び左側面の少なくともどちらか一方とに設けられることにより、タッチパネル２０の画面を上下方向及び左右方向にスクロールさせることができる。
【００２０】
次に、タッチパネル２０は、カーソル操作部とボタン操作部とを有する。タッチパネル２０は、ボタンの形状に分割され、それぞれのボタンに数字又は電源をＯＮ／ＯＦＦするためのＰＷＲ（Power）等の機能を表示するボタンが割り当てられている。また、何も割り当てられていない複数のボタン領域は、カーソル操作部として用いられる。分割された１つのボタンと隣接するボタンとの間には溝が形成され、ユーザがタッチパネル２０に指で触れた場合に、凹凸のあるボタンの触感を得ることができる。これにより、タッチパネル２０の周囲に形成される周辺操作部３０を操作する場合の触感と、タッチパネル２０に触れた場合の触感とを明確に区別することができるため、ユーザによる誤動作を防止することができる。
【００２１】
タッチパネル２０のカーソル操作部上に、指もしくはタッチペン等を触れたまま移動させることにより、情報表示画面に表示されるポインティングデバイスを動作させることができる。また、タッチパネル２０のボタン操作部を押下することにより、情報表示画面に情報を入力し、又はボタンに表示された機能を動作させることができる。情報表示画面は、タッチパネル２０を用いて入力された情報を表示する画面である。情報表示画面には、例えばダイヤル情報又は各種アプリケーション画面等が表示される。
【００２２】
ここで、図３を用いて、携帯用電子機器を用いたカーソル操作について説明する。図３は、折り畳み式携帯電話端末を示している。折り畳み式携帯電話端末のそれぞれの筺体に、情報表示画面５０と、タッチパネル２０と、周辺操作部３０と、が設けられている。なお、カーソル操作の説明を容易にするために、タッチパネル２０の表面に設けられたボタン形状の凹凸表示を省略する。タッチパネル２０の表面をなぞるように指を移動させることにより、情報表示画面５０に表示されているポインティングデバイス５１が、指の動きと同様の動作をする。タッチパネル２０及び情報表示画面５０に表示されている点線の矢印は、ユーザの指及びポインティングデバイス５１が動いた軌跡を示している。
【００２３】
続いて、図４を用いて、携帯用電子機器を用いたボタン操作について説明する。図４においても、図３と同様に折り畳み式携帯電話端末を示しており、その構成は図３と同様であるため、説明を省略する。タッチパネル２０には、数字１乃至９を入力するためのボタン操作部が表示されている。例えば、「６」が表示されているボタンを押下することにより、情報表示画面５０に６が表示される。
【００２４】
続いて、図５を用いて本発明の実施の形態１にかかるタッチパネル２０内部の構造例について説明する。タッチパネル２０は、表面部６０と、静電処理部６１と、端子部６２とを備えている。
【００２５】
表面部６０は、タッチパネル２０の表面に配置され、ユーザによるタッチ操作を受け付ける。また、表面部６０は、タッチパネル２０に表示されるボタン領域に合わせて浅い凹凸が設けられている。表面部６０に浅い凹凸が設けられることにより、ユーザがボタン操作を行う際に、感覚的にボタンの位置を把握することができる。また、ユーザは、表面部６０に設けられた凸部を押下することにより、ボタンを押下した時の感覚を得られる。
【００２６】
静電処理部６１は、静電式のタッチパッドにより構成される。静電処理部６１は、タッチパネル２０の表面、つまり表面部６０に触れられたユーザの指もしくはタッチペン等の位置を特定する。例えば、静電処理部６１は、ユーザの指の位置を、Ｘ座標、Ｙ座標を用いて特定することができる。特定されたユーザの指等の位置は、情報表示画面５０のポインティングデバイスを用いて表示される。また、静電処理部６１は、ユーザの指等が、タッチパネル２０の表面をなぞるように移動した場合、その移動した軌跡を特定し、ポインティングデバイスを動作させることができる。
【００２７】
端子部６２は、表面部６０を押下した力が伝達され、情報の入力を受け付ける。つまり、端子部６２は、ボタン操作による情報の入力を受け付ける。
【００２８】
上述したようにタッチパネル２０に表面部６０を設けることにより、ユーザは、タッチボタンの位置を感覚的に把握することができる。また、静電処理部６１の下方に端子部６２を配置することにより、タッチパネル２０は、端子部６２が情報の入力を受け付けた場合は、ボタン操作による情報入力を行うことができる。また、タッチパネル２０は、端子部６２に情報の入力がなく、静電処理部６１がタッチパネル２０の表面に触れられたユーザの指の位置を特定した場合は、カーソル操作による情報入力を行うことができる。また、表面部６０の領域をカーソル操作部とボタン操作部とに分割し、カーソル操作部の領域においては、静電処理部６１からの情報入力を受け付け、ボタン操作部の領域においては、端子部６２からの情報入力を受け付けるように制御してもよい。
【００２９】
続いて、図６を用いて本発明の実施の形態１にかかる携帯用電子機器の詳細な構成例について説明する。携帯用電子機器１０は、タッチパネル２０と、周辺操作部３０と、表示制御部４０と、情報表示画面５０と、静電処理部６１と、端子部６２と、情報入力受付部７０と、を備えている。タッチパネル２０と、周辺操作部３０と、表示制御部４０とは、図１と同様の構成であるため、説明を省略する。
【００３０】
静電処理部６１及び端子部６２は、ユーザによりタッチパネル２０が操作された場合、取得した情報を情報入力受付部７０へ出力する。静電処理部６１は、ユーザの指が触れているタッチパネル２０の位置に関する情報を出力する。端子部６２は、押下されたボタンの位置に関する情報を出力する。また、表示制御部４０は、タッチパネル２０の画面に表示しているボタンの配置及びカーソル操作部の領域に関する情報を情報入力受付部７０へ出力する。表示制御部４０は、起動するアプリケーションに応じてボタンの配置及びカーソル操作の領域を生成する。これにより、携帯用電子機器１０を製造するメーカ等によらず、異なる製品の携帯用電子機器１０においても、共通の操作画面を用いることができる。
【００３１】
情報入力受付部７０は、静電処理部６１からユーザの指が触れられている位置に関する情報を取得すると、情報表示画面５０上に表示されるポインティングデバイスを取得した情報に基づいて移動させる。また、情報入力受付部７０は、端子部６２から押下されたボタンの位置に関する情報を取得した場合、表示制御部４０から取得したボタンの配置に関する情報から、押下されたボタンの位置に割り当てられている数字情報又は機能情報を特定し、情報表示画面５０へ情報を出力する。情報表示画面５０は、情報入力受付部７０から入力された情報を表示する。
【００３２】
続いて、図７乃至１０を用いて、タッチパネルに表示される画像のスクロール動作について説明する。図７は、表示制御部４０によって生成された画像データを示している。表示制御部４０は、起動するアプリケーションに応じて画像データを生成する。そのため、異なるアプリケーションを起動する場合には、Ａ乃至Ｚを、異なる位置に配置してもよい。Ａ乃至Ｚは、もちろん数字等異なる文字であってもよい。Ａ乃至Ｚが割り当てられていない領域は、カーソル操作部に対応する。図８には、表示制御部４０が、タッチパネル２０の画面に、領域Ａの画像データを表示していることを示している。図７に示されている状態において、ユーザが周辺操作部３０を上方向になぞるように操作すると、図８に示されるように、表示制御部４０は、タッチパネル２０の画面に、領域Ｂの画像データを表示するように制御する。
【００３３】
次に、周辺操作部３０を左方向になぞるように操作すると、図９に示されるように、表示制御部４０は、タッチパネル２０の画面に、領域Ｃの画像データを表示するように制御する。
【００３４】
このように、周辺操作部３０を用いて、タッチパネル２０の画面をスクロール操作することにより、表示制御部４０において生成された画像データをすべて表示することができる。つまり、表示制御部４０が、タッチパネル２０の画像サイズよりも大きなサイズの画像データを生成した場合においても、周辺操作部３０を用いることにより、全ての画像データをタッチパネル２０に表示させることができる。
【００３５】
続いて、図１１を用いて本発明の実施の形態１にかかる情報入力操作の処理の流れについて説明する。はじめに、タッチパネル２０を介してユーザから情報の入力を受け付ける（Ｓ１１）。次に、情報入力受付部７０は、ユーザから入力された情報が、ボタン操作による入力か否かを判定する（Ｓ１２）。情報入力受付部７０は、ステップＳ１２において、ボタン操作による入力であると判定した場合、ボタン領域への入力か否かについて判定する（Ｓ１３）。情報入力受付部７０は、表示制御部４０から取得したボタンの配置及びカーソル操作部の領域に関する情報から、ボタン領域への入力か否かについて判定する。情報入力受付部７０は、ステップＳ１３において、ボタン領域への入力であると判定した場合、ボタン操作により入力された情報を情報表示画面５０へ出力する（Ｓ１４）。情報入力受付部７０は、ステップＳ１２において、ボタン操作による入力ではないと判定すると、入力された情報は、カーソル操作領域において入力された情報であるか否かについて判定する（Ｓ１５）。情報入力受付部７０は、カーソル操作領域において入力された情報であると判定した場合、カーソル操作により入力された情報を情報表示画面５０へ出力する。情報入力受付部７０は、ステップＳ１３においてボタン領域への入力ではないと判定した場合及びステップＳ１５において、カーソル領域への入力ではないと判定した場合、情報入力の受付を拒否して処理を終了する（Ｓ１７）。
【００３６】
（実施の形態２）
続いて、図１２を用いて本発明の実施の形態２にかかるタッチパネルの表示例について説明する。図１２に示されるように、カーソル操作部は、ボタン操作部の領域と重複して設定されてもよい。つまり、数字等が割り当てられている領域は、ボタン操作部としても用いられ、さらにタッチパネル２０の全面がカーソル操作部としても用いられてよい。この場合、数字等が割り当てられている部分をなぞるように操作することにより、情報表示画面５０に表示されているポインティングデバイスを動かすことができる。
【００３７】
ユーザからボタン操作部への操作が行われた場合、ボタン操作かカーソル操作かは、ユーザがボタン操作部を押圧する押圧力により判定することができる。図５において説明したように、ユーザが、一定以上の力によりタッチパネル２０を押下し端子部６２が押下された場合、ボタン操作と判断する。また、ユーザが、タッチパネル２０を操作しても端子部６２が押下されない場合、静電処理部６１が特定したユーザの指等の位置より、カーソル操作と判断する。つまり、情報入力受付部７０は、端子部６２から情報が入力された場合は、ボタン操作と判定し、静電処理部６１からのみ情報が入力された場合は、カーソル操作と判定することができる。
【００３８】
（実施の形態３）
図１３を用いて本発明の実施の形態３にかかる携帯用電子機器の構成例について説明する。図１３において説明する携帯用電子機器１００は、図１０における携帯用電子機器１０の情報表示画面５０が通信部８０に置き換えられている。図１３におけるその他の構成については、図１０と同様であるため、説明を省略する。
【００３９】
通信部８０は、情報入力受付部７０から入力された情報を外部装置へ出力する。外部装置とは、例えばパーソナルコンピュータ、映像録画装置、又はゲーム装置等である。携帯用電子機器１００をパーソナルコンピュータとともに用いて、カーソル操作情報をパーソナルコンピュータに送信することにより、携帯用電子機器１００をいわゆるマウスとして用いることができる。また、携帯用電子機器１００に表示された数字情報をパーソナルコンピュータに送信することにより、携帯用電子機器１００をいわゆるテンキーとして用いることができる。上述したように、携帯用電子機器１００は、外部装置へ情報を入力するインタフェースとして用いることができる。
【００４０】
なお、本発明は上記実施の形態に限られたものではなく、趣旨を逸脱しない範囲で適宜変更することが可能である。
【符号の説明】
【００４１】
１０  携帯用電子機器
２０  タッチパネル
３０  周辺操作部
４０  表示制御部
５０  情報表示画面
５１  ポインティングデバイス
６０  表面部
６１  静電処理部
６２  端子部
７０  情報入力受付部
８０  通信部
１００  携帯用電子機器
【図１】
2011164953.tif 000003
【図２】
2011164953.tif 000004
【図３】
2011164953.tif 000005
【図４】
2011164953.tif 000006
【図５】
2011164953.tif 000007
【図６】
2011164953.tif 000008
【図７】
2011164953.tif 000009
【図８】
2011164953.tif 000010
【図９】
2011164953.tif 000011
【図１０】
2011164953.tif 000012
【図１１】
2011164953.tif 000013
【図１２】
2011164953.tif 000014
【図１３】
2011164953.tif 000015